(57)【要約】【課題】明るい環境下に設置された装置本体に対して感光材料が露光されないように遮光した状態で感光材料を装置本体の内部に装填する作業を行えるようにする。【解決手段】明るい環境下に設置された感光材料１１１を装填して使用する装置本体１１０の筐体部分を簡易暗室１０の本体における接続用開口部に挿入した状態で、取り付け手段１６により両者を一体的に接続し、接続縁遮光手段により接続用開口部の開口周囲と感光材料１１１を装填する対象となる装置本体１１０の筐体外面との間を遮光した状態で、入り口から作業員が簡易暗室１０の本体内に入ってから入り口を閉じることにより、簡易暗室１０の内部を感光材料１１１が露光されないように遮光した状態としてから、感光材料１１１を装置本体１１０の内部に装填する等の作業を行うことができる。【選択図】図１
2007171878.tif 000002
【特許請求の範囲】
【請求項１】
内部に遮光状態の作業空間を作るためのハウジング状に構成した簡易暗室の本体と、
前記簡易暗室の本体に、作業員が内部に出入りするため開閉可能とし、閉じたときに入り口が遮光状態で閉じられるように設けた入り口と、
前記簡易暗室の本体に、感光材料を装填する対象となる装置本体の筐体部分を挿入するよう設けた接続用開口部と、
前記接続用開口部と、前記感光材料を装填する対象となる装置本体とを一体的に接続する取り付け手段と、
前記接続用開口部の開口周囲と、前記感光材料を装填する対象となる装置本体の筐体外面との間を遮光する接続縁遮光手段と、
を有することを特徴とする簡易暗室。
【請求項２】
内部に収納した平版刷版の感光層が感光しないように遮光する装置本体側の筐体の一部に、閉じた状態で前記装置本体側の筐体内部に光が侵入しないように開閉可能に装着した遮光扉と、
前記遮光扉を開けた状態で、複数の前記平版刷版を積層して束としたものを装填可能なように、前記装置本体側の筐体の内部に配置した装填台と、
前記装置本体側の筐体部分を接続用開口部に挿入し、内部に遮光状態の作業空間を作るハウジング状に構成した簡易暗室の本体と、
前記接続用開口部と、前記装置本体側の筐体部分とを一体的に接続する取り付け手段と、
前記接続用開口部の開口周囲と、前記装置本体側の筐体の外面との間を遮光する接続縁遮光手段と、
前記簡易暗室の本体に、作業員が内部に出入りするため開閉可能とし、閉じたときに入り口が遮光状態で閉じられるように設けた入り口と、
を有することを特徴とする簡易暗室付き平版刷版の自動供給装置。
【請求項３】
前記ハウジング状に構成した簡易暗室の本体を、全ての光を遮光する機能を持つシート状部材で構成し、
前記簡易暗室の内部に、感光材料が感光する波長の光を発光しない発光ダイオード又は感光材料が感光する波長の光を遮光する光学フィルタを巻いた光源を配置したしたことを特徴とする請求項１に記載の簡易暗室。
【請求項４】
前記ハウジング状に構成した簡易暗室の本体を、全ての光を遮光する機能を持つシート状部材で構成し、
前記簡易暗室の内部に、感光材料が感光する波長の光を発光しない発光ダイオード又は感光材料が感光する波長の光を遮光する光学フィルタを巻いた光源を配置したしたことを特徴とする請求項２に記載の簡易暗室付き平版刷版の自動供給装置。
【請求項５】
前記ハウジング状に構成した簡易暗室の本体を、感光材料を感光させる波長の光を遮断し、その他の波長の光を透過するフィルタ機能を有する遮光フィルタシートで構成したことを特徴とする請求項１に記載の簡易暗室。
【請求項６】
前記ハウジング状に構成した簡易暗室の本体を、感光材料を感光させる波長の光を遮断し、その他の波長の光を透過するフィルタ機能を有する遮光フィルタシートで構成したことを特徴とする請求項２に記載の簡易暗室付き平版刷版の自動供給装置。
【発明の詳細な説明】
【技術分野】
【０００１】
この発明は、感光材料が露光されないように遮光した状態で感光材料を装置本体の内部に装填する作業を行えるようにするため、装置本体に一体的に取り付け可能な簡易暗室と、この簡易暗室付き平版刷版の自動供給装置とに関する。
【背景技術】
【０００２】
一般に、オフセット印刷には、平版刷版として感光性印刷版（いわゆるフォトポリマーＰＳ版）又はいわゆるサーマルＰＳ版等が利用されている。また、この平版印刷の分野では、未露光の感光性印刷版の供給を受けて、この感光性印刷版に対しコンピュータ等のデジタルデータに基づいてレーザ露光処理をし、自動現像機で感光性印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
ＣＴＰシステムに用いられる平版刷版としての感光性印刷版には、薄いアルミニウム基板の表面上へ感光剤を層状に塗布して感光層（記録層）が構成されている。さらに、このような感光性印刷版（ＰＳ版）には、アルミニウム基板に塗布する感光剤を外力に対し強い特性（例えば、通常のＰＳ版の２０倍以上の強度特性）とし、合紙の保護を必要とせず、じかに重ねて束ねた状態で取り扱っても傷が問題とならない程度に記録層側の表面を強化した、表面強化型のフォトポリマＰＳ版（いわゆる合紙レス平版刷版）がある。
【０００４】
このような合紙レス平版刷版（合紙レスＰＳ版）を使用するＣＴＰシステムには、平版刷版の自動供給装置を備えたものがある。この平版刷版の自動供給装置では、一方の感光性印刷版表面の感光面上に他方の感光性印刷版の裏面を直接接触させて積層し、所定複数枚重なった束を、遮光された自動供給装置のハウジング内に装填し、製版作業の開始と共に自動供給装置の枚葉供給装置によって感光性印刷版の束から感光性印刷版を１枚ずつ分離して、露光処理部側へ搬出するものの開発が進められている。
【０００５】
この平版刷版の自動供給装置は、合紙レス平版刷版の取り出し機構とＰＳ版搬送機構で構成する。この平版刷版の自動供給装置では、合紙レス平版刷版の枚葉供給手段として構成するため、合紙取り出し機構、合紙搬送機構及び合紙集積部が不要となり、高生産性、低価格、省スペースな構成をとることが可能である。
【０００６】
また、ＣＴＰシステムに用いられる感光性印刷版は、その感光層を構成する感光剤の感度が高いため、僅かな光によっても露光されて感光層に変化（いわゆる光カブリ）を生じるという性質を持つ。
【０００７】
例えば、ＣＴＰシステムで使用する感光性印刷版が４０５ｎｍのバイオレットレーザー光によって感光し、画像を記録するものである場合には、現像前に、蛍光灯や太陽孔などの白色光を浴びると感光してしまい、画像記録が不可能となる。
【０００８】
そこで、従来の自動製版機では、感光性印刷版の供給装置の装填台に所定枚数の感光性印刷版の束を装填する作業を行えるようにするために、感光性印刷版の装填作業用の暗室設備を別途用意する。
【０００９】
この感光性印刷版の装填作業用の暗室設備では、太陽光を遮断し、白色光（室内灯）消灯し、４０５ｎｍの光を除いた暗室照明の環境下で作業を行えるようにしなければならない。
【００１０】
このため、感光性印刷版の装填作業用の暗室設備には、窓や出入り口に暗幕（暗室カーテン）を設置し、暗室設備内の天井照明として作業時に必要な明るさを確保できる複数個の白色光灯と、４０５ｎｍ光を取り除く光学フィルターを設置した暗灯の２種類の照明を設置する。
【００１１】
さらに、この感光性印刷版の装填作業用の暗室設備では、天井に設置した暗灯の照明下で作業を行う際に手元が見え辛いので、光学フィルター付き手元ライトを利用することになる。
【００１２】
そして、作業者は、感光性印刷版の供給装置の装填台に所定枚数の感光性印刷版の束を装填する作業を行う際に、暗室中に梱包された感光性印刷版の束を運び込み、暗灯照明下で感光性印刷版の梱包を開梱して、感光性印刷版の束の表面と裏面からそれぞれ厚紙（当てボール）を取り除いてから複数枚の感光性印刷版の束を印刷版包装箱に収納し、開閉蓋を閉じて遮光する。
【００１３】
この後、作業者は、感光性印刷版の束を収納した印刷版包装箱を、暗室設備から、明室中に配置した自動製版機の感光性印刷版供給装置へ運んで、感光性印刷版供給装置内の印刷版供給カセットへ装填し、感光性印刷版供給装置の扉を閉じて装置内部を遮光する。
【００１４】
このようにして感光性印刷版の束が装填される感光性印刷版供給装置では、自動装置で印刷版包装箱の開閉蓋を開き、印刷版包装箱の内部に収納した感光性印刷版の束から自動供給装置の枚葉搬出機構によって感光性印刷版を１枚ずつ分離して、露光処理部側へ搬出する（例えば、特許文献１参照。）。
【００１５】
しかし、上述した従来の感光性印刷版供給装置を備えた自動製版機では、この自動製版機を設置した部屋の他に、感光性印刷版の梱包を開梱するため、感光性印刷版の装填作業用の暗室設備を別途用意する必要があるから、自動製版機を利用するために必要となる設備が大掛かりとなり、暗室を建設する費用が嵩むという問題がある。
【００１６】
また、上述した従来の自動製版機の感光性印刷版供給装置では、感光性印刷版の束を遮光状態で収納した印刷版包装箱の開閉蓋を開かせる動作を行うために構造が複雑で大型の開閉蓋の自動開閉装置を別途設置する必要があるので、感光性印刷版供給装置の構成が複雑で大型化し高価になるという問題がある。
【特許文献１】特開平１１−３１４７７１号公報
【発明の開示】
【発明が解決しようとする課題】
【００１７】
本発明は、上述の問題に鑑み、明るい環境下に設置された装置本体に対して感光材料が露光されないように遮光した状態で感光材料を装置本体の内部に装填する作業を行えるようにするため、装置本体に一体的に取り付け可能な簡易暗室と、この簡易暗室を備えた平版刷版の自動供給装置とを新たに提供することを目的とする。
【課題を解決するための手段】
【００１８】
本発明の請求項１に記載の簡易暗室は、内部に遮光状態の作業空間を作るためのハウジング状に構成した簡易暗室の本体と、簡易暗室の本体に、作業員が内部に出入りするため開閉可能とし、閉じたときに入り口が遮光状態で閉じられるように設けた入り口と、簡易暗室の本体に、感光材料を装填する対象となる装置本体の筐体部分を挿入するよう設けた接続用開口部と、接続用開口部と、感光材料を装填する対象となる装置本体とを一体的に接続する取り付け手段と、接続用開口部の開口周囲と、感光材料を装填する対象となる装置本体の筐体外面との間を遮光する接続縁遮光手段と、を有することを特徴とする。
【００１９】
上述のように構成することにより、明るい環境下に設置された感光材料を装填して使用する装置本体の筐体部分を簡易暗室の本体における接続用開口部に挿入した状態で、取り付け手段により両者を一体的に接続し、接続縁遮光手段により接続用開口部の開口周囲と感光材料を装填する対象となる装置本体の筐体外面との間を遮光した状態で、入り口から作業員が簡易暗室の本体内に入ってから入り口を閉じることにより、簡易暗室の内部を感光材料が露光されないように遮光した状態としてから、感光材料を装置本体の内部に装填する等の作業を行うことができる。よって、感光材料を装填して使用する装置本体を暗室設備の中に配置しなくても、遮光した状態が必要となる作業を行うことができる。
【００２０】
本発明の請求項２に記載の簡易暗室付き平版刷版の自動供給装置は、内部に収納した平版刷版の感光層が感光しないように遮光する装置本体側の筐体の一部に、閉じた状態で装置本体側の筐体内部に光が侵入しないように開閉可能に装着した遮光扉と、遮光扉を開けた状態で、複数の平版刷版を積層して束としたものを装填可能なように、装置本体側の筐体の内部に配置した装填台と、装置本体側の筐体部分を接続用開口部に挿入し、内部に遮光状態の作業空間を作るハウジング状に構成した簡易暗室の本体と、接続用開口部と、装置本体側の筐体部分とを一体的に接続する取り付け手段と、接続用開口部の開口周囲と、装置本体側の筐体の外面との間を遮光する接続縁遮光手段と、簡易暗室の本体に、作業員が内部に出入りするため開閉可能とし、閉じたときに入り口が遮光状態で閉じられるように設けた入り口と、を有することを特徴とする。
【００２１】
上述のように構成することにより、明るい環境下に設置された平版刷版の自動供給装置本体における遮光扉が設けられた筐体部分を簡易暗室の本体における接続用開口部に挿入した状態で、取り付け手段により両者を一体的に接続し、接続縁遮光手段により接続用開口部の開口周囲と平版刷版の自動供給装置本体の筐体外面との間を遮光した状態で、入り口から作業員が簡易暗室の本体内に入ってから入り口を閉じることにより、簡易暗室の内部を感光材料が露光されないように遮光した状態としてから、遮光扉を開け内部の装填台上に平版刷版の束を装填する作業を行うことができる。よって、平版刷版の自動供給装置を暗室設備の中に配置しなくても、遮光した状態で平版刷版を供給する作業を行うことができる。
【００２２】
請求項３に記載の発明は、請求項１に記載の簡易暗室において、ハウジング状に構成した簡易暗室の本体を、全ての光を遮光する機能を持つシート状部材で構成し、簡易暗室の内部に、感光材料が感光する波長の光を発光しない発光ダイオード又は感光材料が感光する波長の光を遮光する光学フィルタを巻いた光源を配置したしたことを特徴とする。
【００２３】
上述のように構成することにより、簡易暗室の内部において、感光材料を感光させない光で照らした状態で感光材料を取り扱う作業を容易にできる。
【００２４】
請求項４に記載の発明は、請求項２に記載の簡易暗室付き平版刷版の自動供給装置において、ハウジング状に構成した簡易暗室の本体を、全ての光を遮光する機能を持つシート状部材で構成し、簡易暗室の内部に、感光材料が感光する波長の光を発光しない発光ダイオード又は感光材料が感光する波長の光を遮光する光学フィルタを巻いた光源を配置したしたことを特徴とする。
【００２５】
上述のように構成することにより、平版刷版の自動供給装置に取り付けた簡易暗室の内部において、感光材料を感光させない光で照らした状態で感光材料を取り扱う作業を容易にできる。
【００２６】
請求項５に記載の発明は、請求項１に記載の簡易暗室において、ハウジング状に構成した簡易暗室の本体を、感光材料を感光させる波長の光を遮断し、その他の波長の光を透過するフィルタ機能を有する遮光フィルタシートで構成したことを特徴とする。
【００２７】
上述のように構成することにより、簡易暗室の内部に、外部から感光材料を感光させない光が入射して照らすので、感光材料を取り扱う作業を容易にできる。
【００２８】
請求項６に記載の発明は、請求項２に記載の簡易暗室付き平版刷版の自動供給装置において、ハウジング状に構成した簡易暗室の本体を、感光材料を感光させる波長の光を遮断し、その他の波長の光を透過するフィルタ機能を有する遮光フィルタシートで構成したことを特徴とする。
【００２９】
上述のように構成することにより、簡易暗室の内部に、外部から平版刷版を感光させない光が入射して照らすので、平版刷版を装填台上に供給する作業を容易にできる。
【発明の効果】
【００３０】
本発明の簡易暗室と簡易暗室付き平版刷版の自動供給装置によれば、明るい環境下に設置された装置本体に対して一体的に取り付けた簡易暗室又は明るい環境下に設置された平版刷版の自動供給装置に一体的に取り付けられた簡易暗室を利用することにより、感光材料が露光されないように遮光した状態で感光材料を装置本体の内部に装填する作業を行うことができるという効果がある。
【発明を実施するための最良の形態】
【００３１】
本発明の簡易暗室と簡易暗室付き平版刷版の自動供給装置に関する実施の形態について図１乃至図６により説明する。本実施の形態に係わる簡易暗室が取り付けられる平版刷版の自動供給装置は、例えば、現在市販されている一般の感光性印刷版（ＰＳ版）と比較して、感光性印刷版の表面に感光剤を塗布して形成された感光面が外力に対し強く（２０倍以上）、合紙の保護を必要としないフォトポリマＰＳ版である、いわゆる合紙レス感光性印刷版（合紙レスＰＳ版）を所定複数枚束にしたものを装置内に装填し、枚葉供給装置で各平版刷版を１枚づつ分離して搬出する送給作業を可能に構成する。
【００３２】
すなわち、この平版刷版の自動供給装置に用いる合紙レス平版刷版としての合紙レス感光性印刷版は、所定サイズの長方形の板状に形成された薄いアルミニウム板である支持体上に、感光材料を含有する感光面（画像記録層である感光剤面）を塗布して形成された感光面が設けられている。
【００３３】
この平版刷版の自動供給装置に用いる合紙レス感光性印刷版は、これを製造してから所定複数枚の感光性印刷版を、合紙を廃止して、感光性印刷版の表面に当たる感光面（感光剤面であるＥｍ面）に感光性印刷版の裏面に当たる（ＰＳ版アルミ面であるＢａｃｋ面）を直接接触させる状態で積層して束にした状態で、運搬や保管を行い、さらに感光性印刷版の母材であるアルミ面で感光面を擦りながら感光性印刷版を１枚づつ分離して搬出しても、傷や圧力カブリ等を生じないという特性を持つ。
【００３４】
また、この平版刷版の自動供給装置に用いる合紙レス感光性印刷版は、感光性印刷版の裏面に当たるアルミニュウム材料面であるＢａｃｋ面に、その下に積み重ねられた感光性印刷版表面の記録面に対して擦れ傷を付けることを防止するためのオーバーコート層を塗布したものであっても良い。
【００３５】
この合紙レス感光性印刷版は、製造後、合紙無しで所定複数枚積み重ねられることにより直方体の束にされて梱包され、搬送及び保管等の取り扱いが容易な状態とされる。この合紙レス感光性印刷版は、梱包を解いてから合紙無しで所定複数枚積み重ねられた束の状態で、ＣＴＰシステムに設けた平版刷版の自動供給装置の内へ装填されて使用される。
【００３６】
このＣＴＰ（Ｃｏｍｐｕｔｅｒ  ｔｏ  Ｐｌａｔｅ）システムは、コンピュータ等のデジタルデータに基づいてレーザ露光処理をし、自動現像機で感光性印刷版上に形成された潜像を顕像に変換する現像処理をして直接印刷版を製版する。
【００３７】
図５及び図６に示すように、このＣＴＰシステム１００は、合紙無しで所定複数枚積み重ねられた平版刷版１１１の束が供給される自動供給装置１１０と、この自動供給装置１１０に連続して合紙レス感光性印刷版である平版刷版１１１の束から平版刷版１１１（ＰＳ版）を１枚づつ分離して供給する枚葉供給装置１１２と、インナードラム露光装置（モノゴンスキャナー）１１４と、バッファ装置１１６と、現像処理装置１１８とを備える。
【００３８】
このＣＴＰシステム１００における自動供給装置１１０は、その内部で枚葉供給装置１１２と連続するように構成されている。この自動供給装置１１０のハウジング（筐体）における端部側面には、観音開きに構成され、閉じた状態で自動供給装置１１０の内部に光が侵入しないように遮光可能に構成された遮光扉１４２を装着する。
【００３９】
この自動供給装置１１０では、遮光扉１４２の内側に枚葉供給装置１１２を構成するため、装填台１４４を設置する。この装填台１４４は、自動供給装置１１０の床面からインナードラム露光装置１１４側の上部へかけて所定角度で斜めに配置した支持台１６０の下端部に、高さ位置を調整可能なように棚部材１６２を装着して構成する。
【００４０】
さらに図１に示すように、支持台１６０には、棚部材１６２上に置いた感光性印刷版である平版刷版１１１の束の両横側端部にそれぞれ当接することにより位置決めして保持するための突片状のガイド部材１６４を配置する。なお、平版刷版１１１の束の両横側部に対応する各ガイド部材１６４は、それぞれ感光性印刷版である平版刷版１１１のサイズに対応して位置を変更調整可能に装着する。
【００４１】
図６に示すように、装填台１４４の角度θは、支持台１６０を水平に対して角度６０度から角度８０度の範囲、好ましくは角度７０度とする。
【００４２】
この装填台１４４上には、合紙無しで所定複数枚積み重ねられた平版刷版１１１の束を、この束の搬送方向上流側端部を棚部材１６２の上に載せ、平版刷版１１１の束の両横側部に各々対応するガイド部材１６４を当接させて位置決めした状態で、支持台１６０の表面に斜めに持たせ掛けるようにして載置する。
【００４３】
このように平版刷版１１１の束を載置することにより、所定角度で斜めに配置した支持台１６０上に載置された合紙無しで所定複数枚積み重ねられた平版刷版１１１の束における、最も表面側に位置する平版刷版１１１は、その自重によりその下にある平版刷版１１１に圧接する力を、装填台１４４を水平に配置する場合と比較して減少させることができる。
【００４４】
さらに、このように構成する場合には、装填台１４４を水平に配置する場合と比較して自動供給装置１１０の水平方向の大きさを削減して装置の小型化を図ることができる。
【００４５】
図６に示すＣＴＰシステム１００では、枚葉供給装置１１２を構成するため、装填台１４４の上側の位置に、複数の合紙レス平版刷版１１１の束における最上部位置にある搬出される感光性印刷版である平版刷版１１１を１枚づつ分離して搬出するためのローラピック方式に構成された搬出手段を配置する。
【００４６】
この枚葉供給装置１１２では、ローラピック方式の搬出手段として、ゴムローラ製の搬出用ローラ１４６を装着する。この搬出用ローラ１４６は、図示しない制御装置で駆動制御される駆動モータで回転駆動する。
【００４７】
このように構成された搬出用ローラ１４６は、装填台１４４上に載置された複数の合紙レス平版刷版１１１の束における最上部位置にある平版刷版１１１に圧接されるピックアップ位置にセットされてから、制御装置によって駆動モータを駆動制御し、搬出用ローラ１４６を回転駆動することにより、搬出用ローラ１４６を装填台１４４に載置された平版刷版１１１の束の１番上にある平版刷版１１１上で転動させて、１枚だけを分離し搬送ベルト巻き掛け機構へ送給する。
【００４８】
この搬送ベルト巻き掛け機構には、各平版刷版１１１を装填台１４４からインナードラム露光装置１１４まで搬送するために、主搬送ベルト１４８を張架した主搬送ベルト巻き掛け機構１５０と、副搬送ベルト１５２を張架した副搬送ベルト巻き掛け機構１５４とを設置する。
【００４９】
この主搬送ベルト巻き掛け機構１５０は、装填台１４４上部に当たる平版刷版１１１の搬入位置から、インナードラム露光装置１１４への搬出位置との間に搬送ベルト１４８を張架して搬送路を構成する。
【００５０】
また、副搬送ベルト巻き掛け機構１５４は、主搬送ベルト巻き掛け機構１５０における主搬送ベルト１４８の下側に設定される搬送路の一部を共用して搬送中の平版刷版１１１が脱落することを防止するよう構成する。
【００５１】
このため、副搬送ベルト巻き掛け機構１５４は、主搬送ベルト１４８における、装填台１４４から搬出された各平版刷版１１１の先端が突き当てられるガイド範囲より搬送方向下流側の中間ローラ１５６から、主搬送ベルト１４８の下側に設定される搬送路の出口に近い中間ローラ１５８の区間で、主搬送ベルト１４８と副搬送ベルト１５２とが添うようになって走行するよう巻き掛けて構成する。
【００５２】
このように構成された主搬送ベルト巻き掛け機構１５０では、搬出用ローラ１４６によって１枚だけ分離されて搬出された平版刷版１１１の先端が、主搬送ベルト１４８における先端の第１ローラ１５１と中間ローラ１５６との間に張架された部分に相当するガイド範囲１４８Ａに当たり、主搬送ベルト１４８の走行動作に従って中間ローラ１５６側へ搬送される。
【００５３】
この枚葉供給装置１１２では、搬出用ローラ１４６によって搬出された平版刷版１１１の先端が、ガイド範囲１４８Ａに張架されている主搬送ベルト１４８に当たり、主搬送ベルト１４８が弾力的に容易に変形して平版刷版１１１に衝撃を与えないように受けると共に、平版刷版１１１の先端が当たった部分の主搬送ベルト１４８が略への字状に変形し、平版刷版１１１が撓んでその先端部が中間ローラ１５６の位置で主搬送ベルト１４８と副搬送ベルト１５２との間にスムーズに挟み込まれるようにできる。このように平版刷版１１１は、その先端が主搬送ベルト１４８に当たったときに、弾力的に柔らかく受けられるので、感光面を形成する感光層に外傷を与えないようにできる。
【００５４】
また、この枚葉供給装置１１２では、平版刷版１１１の束から何枚目の平版刷版１１１を搬出する場合であっても、搬出用ローラ１４６が転接して引き上げられる平版刷版１１１の先端が必ずガイド範囲１４８Ａ内で主搬送ベルト１４８に当たるようにし適切に搬出できる。
【００５５】
よって、この枚葉供給装置１１２では、平版刷版１１１の束から平版刷版１１１が引き出される毎に、その引き出し位置が変わっても適切に搬出できるから、装填台１４４に平版刷版１１１の引き出し位置を調整するための複雑な装置を設ける必要がないので、構成を簡素化し、装置を小型化することができる。
【００５６】
そして、先端を主搬送ベルト１４８にガイドされた平版刷版１１１は、中間ローラ１５６の位置で、主搬送ベルト１４８と副搬送ベルト１５２との間に挟み込まれて挟持された状態で搬送路上を搬送され、出口に近い中間ローラ１５８の位置で挟持状態を開放され、インナードラム露光装置１１４へ搬入される。
【００５７】
このＣＴＰシステム１００におけるインナードラム露光装置１１４は、円弧内周面形状（円筒内周面の一部を構成する形状）の支持体１３４を母体として構成されており、この支持体１３４の内周面に沿って平版刷版１１１を支持するようになっている。
【００５８】
このインナードラム露光装置１１４では、図示しない真空吸着手段によって、未記録の記録媒体である平版刷版１１１を支持体１３４の内周面に確実に密着させて沿わせた状態に保持してから露光処理を行う。
【００５９】
このインナードラム露光装置１１４では、支持体１３４の円弧中心位置に、光ビーム偏向器としてのスピナーミラー装置１３６を配設する。このスピナーミラー装置１３６は、反射鏡部材（スピナーミラー）１３８を頂面に配置した回転軸１４０を、図示しない制御装置のスピナードライバによって回転制御がされる駆動源としてのモータによって高速回転可能に構成する。このスピナーミラー装置１３６では、回転軸１４０の回転中心軸を支持体１３４の円弧中心軸と一致するように構成する。
【００６０】
このスピナーミラー装置１３６では、光源側の光学系から投射された光ビームを、回動する反射鏡部材１３８の反射鏡面に反射させて平版刷版１１１の感光面に対して主走査方向への走査露光を行う。
【００６１】
このスピナーミラー装置１３６は、図示しない副走査移動手段によって、支持体１３４の円弧中心軸の軸線方向（図２の表面から裏面に貫通する方向）に等速度で移動制御されることにより副走査する。
【００６２】
このためスピナーミラー装置１３６では、制御装置のスピナードライバによって、そのモータの回転制御がされると共に、図示しない副走査移動手段により副走査方向に移動制御される。
【００６３】
このように構成されたスピナーミラー装置１３６は、光源側の光学系から投射され画像情報に応じて変調された光ビームを、回動する反射鏡部材１３８の反射鏡面に反射させて主走査方向への走査露光を行いながら、スピナーミラー装置１３６を副走査方向へ移動することによって、平版刷版１１１の記録面全面に対して２次元の画像を記録する処理を行う。
【００６４】
このＣＴＰシステム１００に設けるバッファ装置１１６は、インナードラム露光装置１１４で露光処理された平版刷版１１１を、搬送速度を調整することによって所要のタイミングで現像処理装置１１８へ搬入する機能を有する。
【００６５】
現像処理装置１１８は、搬入されて来た露光済の平版刷版１１１に対する現像処理を行って潜像を顕像化して印刷版を製版する。
【００６６】
なお、前述した平版刷版の自動供給装置は、前述した合紙の保護を必要としないフォトポリマＰＳ版以外に、例えば、いわゆるサーマルＰＳ版で、表面に形成された画像を形成する記録層に傷が付くことを防止するため、記録層の最外表面上にオーバーコート層（現像前の水洗工程で完全に除去できる水溶性材料で構成されたＯＣ層等）が塗布されているものを利用することができる。さらに、平版刷版の自動供給装置は、合紙の保護を必要とせず、じかに重ねて束ねた状態で取り扱っても傷が問題とならない程度に記録層側の表面を強化した表面強化型のサーマルＰＳ版を利用することができる。
【００６７】
また、この平版刷版の自動供給装置の構成は、一般に平版印刷の分野で用いられる製版方式に対応した平版刷版である、光を利用して記録層に画像を記録する（光モード）の平版刷版、記録層中で光を熱に変換させて画像を記録する（光、熱モード）の平版刷版等を一枚づつ分離して供給することに利用できることは勿論である。
【００６８】
上述のように構成されたＣＴＰシステム１００は、通常の作業場所である明室内に設置する。さらに、この明室内に設置したＣＴＰシステム１００では、平版刷版１１１だけを積み重ねて束にしたものを自動供給装置１１０内の装填台１４４に装填し又は交換する作業を容易にするため、図１乃至図４に示すように、自動供給装置１１０における遮光扉１４２を含む前面側の部分を遮光状態で包含するように、比較的簡便な構成の簡易暗室１０を設置する。
【００６９】
この簡易暗室１０の本体は、自動供給装置１１０の前面側の部分に取り付け手段によって一体的に接続して、その内部に遮光状態の作業空間を作るためのハウジング状に構成する。さらに、この簡易暗室１０の本体には、その内部に作業員が出入りするための入り口と、簡易暗室１０の本体を自動供給装置１１０等の装置本体に遮光状態で接続するための接続用開口部とを設ける。
【００７０】
この簡易暗室１０は、図１乃至図４に示すように、枠部材１２を略直方体状に組み、この枠部材１２の枠組みの外側から遮光用シート部材１４を被せて、いわゆるテント状のハウジングを構成する。
【００７１】
この枠部材１２の枠組みは、天井部分を矩形枠の中間部に一本の梁を渡した形状（日の字の形状）に形成し、その入り口部分を矩形枠状に形成し、その底面部分をコの字状に形成して一体化する。
【００７２】
さらに、この枠部材１２の枠組みでは、取り付け手段を構成するため、自動供給装置１１０に接続するための接続用開口部分の枠組みを、天井部分の矩形枠における両端角部からそれぞれ所定長さの枠部材で形成した自動供給装置１１０との接続構造を兼ねる接続用枠部材１６を下に向けて突設させて構成する。すなわち、このように構成した枠部材１２の枠組みでは、その接続用開口部分がある縦側面部分に一対の接続用枠部材１６だけがある構造となる。
【００７３】
また、この簡易暗室１０を取り付ける側の自動供給装置１１０には、取り付け手段を構成するため、ハウジングにおける遮光扉１４２の両側に当たる各側面部に、それぞれ接続用枠部材１６を挿入させて保持するための保持部材１８を突設する。
【００７４】
この保持部材１８は、矩形筒状に形成し、その側部中間に突設した固定部材２０を自動供給装置１１０のハウジング（筐体）側面の所定位置に固着して配置する。このようにハウジングに一体的に固着された保持部材１８は、その筒穴内に接続用枠部材１６を着脱可能に挿通して自動供給装置１１０に対して簡易暗室１０が水平方向に移動しないよう保持する。なお、取り付け手段は、簡易暗室１０と自動供給装置１１０とが一体的に接続された状態を保持可能な手段であれば、一般の締結手段又はその他の接続手段で構成しても良い。
【００７５】
この簡易暗室１０では、図３に示すように枠部材１２で構成した直方体の外形に形成した枠組みの上から、遮光用シート部材１４を被せて、図１及び図４に示すような簡易暗室１０を構成する。
【００７６】
この簡易暗室１０では、遮光用シート部材１４の裾部分が床上に垂れて乗るように長く形成して、床との間で遮光できるように構成する。
【００７７】
また、この簡易暗室１０には、接続用開口部分の開口周囲と、この接続用開口部分に挿入されて接続される自動供給装置１１０のハウジング（筐体）外面との間を遮光するための接続縁遮光手段を設ける。
【００７８】
この接続用開口部分に設ける接続縁遮光手段は、例えば、接続用開口部分の開口縁部２２と、これに対応した自動供給装置１１０のハウジング（筐体）外面所定位置の周部との間を、図示しない雄のマジックテープ（登録商標）と雌のマジックテープ（登録商標）とを用いて着脱可能でかつ遮光状態を保持できるように接続するよう構成する。
【００７９】
すなわち、接続用開口部分の開口縁部２２全周に雄のマジックテープ（登録商標）を配置し、自動供給装置１１０のハウジング（筐体）外面所定位置の全周部に雌のマジックテープ（登録商標）を配置し、これら雄のマジックテープ（登録商標）を隙間無く雌のマジックテープ（登録商標）に締結することにより遮光状態を保持して両者を接続する。
【００８０】
なお、接続用開口部分に設ける接続縁遮光手段は、上述したマジックテープ（登録商標）を利用するものの他に、両面テープで貼着する手段又はその他の締結手段を利用できる。
【００８１】
この簡易暗室１０には、接続用開口部分を設けたのと反対側の縦側面部に入り口を設ける。簡易暗室１０の入り口は、作業員が出入り可能な大きさで、開閉可能であり、閉じたときに入り口が遮光状態で閉じられるように構成するもので、例えば、遮光用シート部材１４の縦側面部を縦に割るように切断した両縦辺を図示しないマジックテープ（登録商標）又はファスナで開閉可能に構成することができる。または、この簡易暗室１０の入り口は、遮光用シート部材１４の縦側面部を縦に割るように２つに分断し、その両縦辺部が十分な幅で重畳して遮光するように構成しても良い。
【００８２】
この簡易暗室１０では、遮光用シート部材１４を全ての光を遮光する機能を持つシート状部材、例えば、一般に用いられている暗幕カーテン等で構成する場合には、簡易暗室１０の内部の例えば天井に、暗灯照明２４を設置する。
【００８３】
この暗灯照明２４は、平版刷版１１１の感光層が感光する例えば波長４０５ｎｍの光（感光層が感光する光の波長が所定範囲の波長に渡る場合には、感光層が感光する波長範囲の光）を発光しないＬＥＤ（Ｌｉｇｈｔ  Ｅｍｉｔｔｉｎｇ  Ｄｉｏｄｅ、発光ダイオード）又は感光層が感光する波長光を遮光する光学フィルタを巻いた蛍光灯等で構成することができる。
【００８４】
また、この簡易暗室１０では、遮光用シート部材１４を、平版刷版１１１を感光させる波長の光を遮断し、その他の波長の光を透過するフィルタ機能を有する遮光フィルタシートで構成しても良い。
【００８５】
この平版刷版１１１を感光させる波長の光を遮断し、その他の波長の光を透過するフィルタ機能を有する遮光フィルタシートは、例えば、「製造メーカ、Ｅｎｃａｐｓｕｌｉｔｅ、製品型番ＦＶ３０」又は「製造メーカ、ＯＳＲＡＭ、製品型番Ｌ３６  Ｗ６２」を利用することができる。
【００８６】
この場合には、ＣＴＰシステム１００を設置した明室内の照明の光又はその他の外光のうち、平版刷版１１１を感光させない波長の光が遮光用シート部材１４を透過して簡易暗室１０内を照らすのに十分な光量であれば、簡易暗室１０の内部に設置する暗灯照明を省略しても良い。また、この場合には、簡易暗室１０の四方の側面及び天井から平版刷版１１１を感光させない波長の光が入ることになるので、作業者の手元がかげになって見えずらくなることを防止できる。
【００８７】
上述のように構成した簡易暗室１０は、そのハウジングの全部又は一部をパネル板材で構成しても良い。また、簡易暗室１０をパネル板材を利用して構成する場合には、枠部材１２を省略して、壁構造で簡易暗室１０全体が自立するように構成しても良い。
【００８８】
次に、この簡易暗室１０を利用して、ＣＴＰシステム１００の自動供給装置１１０に平版刷版の束を装填し又は交換する作業について説明する。
【００８９】
このＣＴＰシステム１００の自動供給装置１１０内の装填台１４４に、平版刷版１１１を装填し又は交換する作業を開始する場合には、簡易暗室１０の正面に設けた出入口を開け、暗灯照明２４を点灯する。
【００９０】
次に、作業者は、装填する梱包状態の平版刷版１１１を持ち、簡易暗室１０内に入り、梱包状態の平版刷版１１１を床に置く。
【００９１】
次に、作業者は、簡易暗室１０正面の出入口を閉めて遮光状態としてから、自動供給装置１１０の遮光扉１４２を開ける。
【００９２】
次に、作業者は、梱包状態の平版刷版１１１を開梱し、平版刷版１１１の束の両端を両手で持ち、ＰＳ版を箱から取り出す。そして、この平版刷版１１１の束を装填台１４４における支持台１６０上の棚部材１６２とガイド部材１６４とでガイドされる所定位置に装填する。
【００９３】
次に、作業者は、自動供給装置１１０の遮光扉１４２を閉じてから、簡易暗室１０正面の出入口を開け、暗灯照明２４を消灯し、平版刷版１１１の空き箱を持って簡易暗室１０を出て装填作業を完了する。
【００９４】
前述した本実施の形態に係わる簡易暗室１０は、ＣＴＰシステム１００の自動供給装置１１０に一体的に取り付けるように構成したが、この簡易暗室１０は、その接続用開口部分の大きさ及び構造を適宜変更することにより、種々の感光材料を装置本体へ装填する作業に利用できる。さらに、簡易暗室１０は、独立した製品として構成し、使用者が種々の装置に対して簡易暗室１０を接続して使用することができる。
【図面の簡単な説明】
【００９５】
【図１】本発明の簡易暗室と簡易暗室付き平版刷版の自動供給装置に関する実施の形態に係わる簡易暗室をＣＴＰシステムの自動供給装置に取り付けた状態を示す要部斜視図である。
【図２】本発明の簡易暗室と簡易暗室付き平版刷版の自動供給装置に関する実施の形態に係わる簡易暗室をＣＴＰシステムの自動供給装置に取り付けた状態を示す要部縦断面図である。
【図３】本発明の簡易暗室と簡易暗室付き平版刷版の自動供給装置に関する実施の形態に係わる簡易暗室と、これを取り付けるＣＴＰシステムの自動供給装置の要部を示す分解斜視図である。
【図４】本発明の簡易暗室と簡易暗室付き平版刷版の自動供給装置に関する実施の形態に係わる簡易暗室をＣＴＰシステムの自動供給装置に取り付ける要部の状態を示す分解斜視図である。
【図５】本発明の簡易暗室と簡易暗室付き平版刷版の自動供給装置に関する実施の形態に係るＣＴＰシステムの概略構成を示す斜視図である。
【図６】本発明の簡易暗室と簡易暗室付き平版刷版の自動供給装置に関する実施の形態に係るＣＴＰシステム内部の構成を示す概略説明図である。
【符号の説明】
【００９６】
１０  簡易暗室
１２  枠部材
１４  遮光用シート部材
１６  接続用枠部材
１８  保持部材
２０  固定部材
２２  開口縁部
２４  暗灯照明
１００ＣＴＰシステム
１１０自動供給装置
１１１平版刷版
１１２枚葉供給装置
１４２遮光扉
１４４装填台
１４６搬出用ローラ
１６０支持台
１６２棚部材
１６４ガイド部材
【図１】
2007171878.tif 000003
【図２】
2007171878.tif 000004
【図３】
2007171878.tif 000005
【図４】
2007171878.tif 000006
【図５】
2007171878.tif 000007
【図６】
2007171878.tif 000008